(57)【要約】【課題】ワイヤーハーネス用プロテクターの蓋が開口を塞いでいる状態を維持する能力を向上する。【解決手段】ワイヤーハーネスを収容する溝がワイヤーハーネス収容体に形成される。メスロックがワイヤーハーネス収容体の側壁に結合される。オスロックが蓋の側部に結合されメスロックに対して挿抜される。引っ掛け部は、間隙が定常距離より広がる方向にたわむことができる。蓋が開口を塞いでいる場合にオスロックの根元部が間隙に配置されオスロックの先端部が間隙より底壁寄りに配置される。オスロックの先端部の引っ掛かり部がメスロックの引っ掛け部に引っ掛かっている場合に間隙が広がる方向に引っ掛け部がたわむことをオスロックの先端部のたわみ止め部が規制する。【選択図】図１
2014183690.tif 000002
【特許請求の範囲】
【請求項１】
底壁、第１の側壁及び第２の側壁を備え、溝が形成され、前記溝の三方が前記底壁、前記第１の側壁及び前記第２の側壁に囲まれ、前記溝の一方が開口になっているワイヤーハーネス収容体と、
第１の側部及び第２の側部を有する蓋と、
前記第１の側壁に結合され、引っ掛け部を備え、前記引っ掛け部及び前記第１の側壁の間に間隙が形成され、前記間隙が定常距離より広がる方向に前記引っ掛け部がたわむことができるメスロックと、
前記第１の側部に結合され、前記蓋が前記開口を塞いでいる場合に前記メスロックに挿され、根元部及び先端部を備え、前記先端部が引っ掛かり部及びたわみ止め部を備え、前記根元部の最大厚さが前記定常距離より薄く、前記先端部の最大厚さが前記定常距離より厚く、前記たわみ止め部が前記引っ掛かり部から突出し、前記蓋が前記開口を塞いでいる場合に前記根元部が前記間隙に配置され前記先端部が前記間隙より前記底壁寄りに配置され、前記引っ掛かり部が前記引っ掛け部に引っ掛かっている場合に前記間隙が広がる方向に前記引っ掛け部がたわむことを前記たわみ止め部が規制するオスロックと、
を備えるワイヤーハーネス用プロテクター。
【請求項２】
前記引っ掛かり部が前記引っ掛け部に引っ掛かっている場合に、前記たわみ止め部及び前記根元部の間に前記引っ掛け部が配置され、前記たわみ止め部が前記引っ掛け部に当たり前記間隙が広がる方向に前記引っ掛け部がたわむことを規制する
請求項１のワイヤーハーネス用プロテクター。
【請求項３】
前記引っ掛かり部は、
前記オスロックが前記メスロックから抜かれる方向と垂直をなし前記引っ掛け部に引っ掛かっている場合に前記引っ掛け部に当たる面を有する
請求項１又は請求項２のワイヤーハーネス用プロテクター。
【請求項４】
前記引っ掛かり部の厚さは、先端側において前記定常距離より薄く、根本側において前記定常距離より厚く、前記先端側から前記根本側へ向かって連続的に厚くなる
請求項１から請求項３までのいずれかのワイヤーハーネス用プロテクター。
【請求項５】
前記蓋が前記開口を塞いでいる状態及び塞いでいない状態の間で前記蓋が回転できるように前記第２の側部を前記第２の側壁に結合する薄肉ヒンジ
をさらに備える請求項１から請求項４までのいずれかのワイヤーハーネス用プロテクター。
【請求項６】
請求項１から請求項５までのいずれかのワイヤーハーネス用プロテクターと、
前記溝に収容されるワイヤーハーネスと、
を備えるプロテクター付きワイヤーハーネス。
【発明の詳細な説明】
【技術分野】
【０００１】
本発明は、ワイヤーハーネス用プロテクター及びプロテクター付きワイヤーハーネスに関する。
【背景技術】
【０００２】
特許文献１のワイヤーハーネス用プロテクター（ワイヤハーネス用プロテクタ）は、ワイヤーハーネス収容体（本体）、蓋、メスロック（メスロック部）及びオスロック（オスロック部）を備える。蓋が開口を塞いでいる状態においては、オスロックをメスロックから抜く力が加わっても、オスロックの引っ掛かり部（係止爪）がメスロックの引っ掛け部（係止枠）に引っ掛かる。
【０００３】
特許文献２のワイヤーハーネス用プロテクター（ワイヤハーネス用成形プロテクタ）も、ワイヤーハーネス収容体（プロテクタ本体）、蓋、メスロック（雌ロック部）及びオスロック（雄ロック片）を備える。蓋が開口を塞いでいる状態においては、オスロックをメスロックから抜く力が加わっても、オスロックの引っ掛かり部（鉤片）がメスロックの引っ掛け部（横梁）に引っ掛かる。
【０００４】
特許文献１及び２のワイヤーハーネス用プロテクターにおいては、オスロックをメスロックから抜く力が加わっても、オスロックがメスロックから抜けず、蓋が開口を塞いでいる状態が維持される。
【先行技術文献】
【特許文献】
【０００５】
【特許文献１】特開２０１１−３６００５号公報
【特許文献２】特開平７−１５８３６号公報
【発明の概要】
【発明が解決しようとする課題】
【０００６】
特許文献１及び２のワイヤーハーネス用プロテクターにおいては、オスロックをメスロックから抜く力が小さい場合には、オスロックがメスロックから抜けず、蓋が開口を塞いでいる状態が維持される。しかし、オスロックをメスロックから抜く力が大きい場合には、引っ掛け部及び側壁の間の間隙（特許文献１の「隙間」及び特許文献２の「門内」）が広がる方向に引っ掛け部がたわみ、オスロックがメスロックから抜ける。このため、蓋が開口を塞いでいる状態を維持する能力が低い。
【０００７】
本発明は、この問題を解決するためになされる。本発明が解決しようとする課題は、ワイヤーハーネス用プロテクターの蓋が開口を塞いでいる状態を維持する能力を向上することである。
【課題を解決するための手段】
【０００８】
本発明の第１から第５までの態様は、ワイヤーハーネス用プロテクターに関する。
【０００９】
本発明の第１の態様においては、ワイヤーハーネス収容体、蓋、メスロック及びオスロックが設けられる。
【００１０】
ワイヤーハーネス収容体は、底壁、第１の側壁及び第２の側壁を備える。溝がワイヤーハーネス収容体に形成される。溝の三方が底壁、第１の側壁及び第２の側壁に囲まれ、溝の一方が開口になっている。
【００１１】
蓋は、第１の側部及び第２の側部を備える。
【００１２】
メスロックは、第１の側壁に結合される。メスロックは、引っ掛け部を備える。引っ掛け部及び第１の側壁の間に間隙が形成される。引っ掛け部は、間隙が定常距離より広がる方向にたわむことができる。
【００１３】
オスロックは、第１の側部に結合される。オスロックは、蓋が開口を塞いでいる場合にメスロックに挿される。オスロックは、根元部及び先端部を備える。先端部は、引っ掛かり部及びたわみ止め部を備える。根元部の最大厚さは、定常距離より薄い。先端部の最大厚さは、定常距離より厚い。たわみ止め部が引っ掛かり部から突出する。蓋が開口を塞いでいる場合には、根元部が間隙に配置され、先端部が間隙より底壁寄りに配置される。引っ掛かり部が引っ掛け部に引っ掛かっている場合は、間隙が広がる方向に引っ掛け部がたわむことをたわみ止め部が規制する。
【００１４】
本発明の第２の態様は、本発明の第１の態様に技術的事項を付加する。本発明の第２の態様においては、引っ掛かり部が引っ掛け部に引っ掛かっている場合に、たわみ止め部及び根元部の間に引っ掛け部が配置され、たわみ止め部が引っ掛け部に当たり間隙が広がる方向に引っ掛け部がたわむことを規制する。
【００１５】
本発明の第３の態様は、本発明の第１又は第２の態様に技術的事項を付加する。本発明の第３の態様においては、引っ掛かり部が当たり面を有する。当たり面は、オスロックがメスロックから抜かれる方向と垂直をなし、引っ掛かり部が引っ掛け部に引っ掛かっている場合に引っ掛け部に当たる。
【００１６】
本発明の第４の態様は、本発明の第１から第３までのいずれかの態様に技術的事項を付加する。本発明の第４の態様においては、引っ掛かり部の厚さが、先端側において定常距離より薄く、根本側において定常距離より広く、先端側から根本側へ向かって連続的に厚くなる。
【００１７】
本発明の第５の態様は、本発明の第１から第４までのいずれかの態様に技術的事項を付加する。本発明の第５の態様においては、薄肉ヒンジがさらに設けられる。薄肉ヒンジは、蓋が開口を塞いでいる状態及び塞いでいない状態の間で蓋が回転できるように第２の側部を第２の側壁に結合する。
【００１８】
本発明の第６の態様は、プロテクター付きワイヤーハーネスに関する。本発明の第６の態様においては、本発明の第１から第５までのいずれかのワイヤーハーネス用プロテクターの溝にワイヤーハーネスが収容される。
【発明の効果】
【００１９】
本発明によれば、オスロックをメスロックから抜く力が加えられた場合に、引っ掛かり部が引っ掛け部に引っ掛かり、間隙が広がる方向に引っ掛け部がたわむことをたわみ止め部が規制する。先端部が間隙を通過せず、オスロックがメスロックから抜けない。蓋が開口を塞いでいる状態を保持する能力が向上する。
【００２０】
加えて、本発明の第３の態様によれば、引っ掛かり部が引っ掛け部に引っ掛かっている場合に間隙が広がる方向に引っ掛け部をたわませる力が引っ掛け部にかかりにくい。蓋が開口を塞いでいる状態を保持する能力がさらに向上する。
【００２１】
加えて、本発明の第４の態様によれば、オスロックをメスロックに挿す力が加えられた場合に、先端部が間隙を通過しやすい。一方、オスロックをメスロックから抜く力が加えられた場合に、先端部が間隙を通過しにくい。また、引っ掛かり部の剛性が向上し、たわみ止め部及び根元部の間に引っ掛け部が配置された状態が解消されにくい。蓋が開口を塞いでいる状態を保持する能力がさらに向上する。
【００２２】
加えて、本発明の第５の態様によれば、ワイヤーハーネス用プロテクターの製造コストが低下する。
【００２３】
これらの及びこれら以外の本発明の目的、特徴、局面及び利点は、添付図面とともに考慮されたときに下記の本発明の詳細な説明によってより明白となる。
【図面の簡単な説明】
【００２４】
【図１】ワイヤーハーネス用プロテクターの斜視図である。
【図２】ワイヤーハーネス用プロテクターの断面図である。
【図３】メスロックの近傍の断面図である。
【図４】メスロック及びオスロックの近傍の断面図である。
【図５】メスロック及びオスロックの近傍の断面図である。
【発明を実施するための形態】
【００２５】
図１の斜視図及び図２の断面図は、この実施形態のワイヤーハーネス用プロテクター１０００を模式的に示す。
【００２６】
図１及び図２に示されるように、ワイヤーハーネス用プロテクター１０００は、ワイヤーハーネス収容体１０２０、蓋１０２１、薄肉ヒンジ１０２２、メスロック１０２３及びオスロック１０２４を備える。ワイヤーハーネス用プロテクター１０００がこれらの構成物以外の構成物を備えてもよい。
【００２７】
ワイヤーハーネス用プロテクター１０００は、望ましくは一体物であり、さらに望ましくは樹脂からなる一体成形物である。これにより、ワイヤーハーネス用プロテクター１０００の製造コストが低下する。ただし、ワイヤーハーネス用プロテクター１０００が２個以上の部材の結合体であってもよい。ワイヤーハーネス用プロテクター１０００の一部又は全部が樹脂以外の材質からなってもよい。例えば、ワイヤーハーネス用プロテクター１０００の一部又は全部が金属、セラミックス等からなってもよい。
【００２８】
ワイヤーハーネス収容体１０２０は、底壁１０４０、第１の側壁１０４１及び第２の側壁１０４２を備える。
【００２９】
ワイヤーハーネス収容体１０２０には、溝１０６０が形成される。溝１０６０の延在方向は、まっすぐであってもよいし、まがっていてもよい。図２に示されるように、溝１０６０にはワイヤーハーネス１０８０を収容することが予定されている。ワイヤーハーネス１０８０が溝１０６０に収容された場合は、ワイヤーハーネス１０８０が溝１０６０に沿って延在する。
【００３０】
溝１０６０が延在する方向に垂直な四方のうち、三方は底壁１０４０、第１の側壁１０４１及び第２の側壁１０４２に囲まれ、一方は開口１１００になっている。底壁１０４０、第１の側壁１０４１及び第２の側壁１０４２により、ワイヤーハーネス１０８０が保護される。
【００３１】
ワイヤーハーネス１０８０は、開口１１００を経由して溝１０６０に収容される。これにより、ワイヤーハーネス１０８０が筒状物に通される場合と比較して、ワイヤーハーネス用プロテクター１０００がワイヤーハーネス１０８０に容易に装着される。
【００３２】
蓋１０２１は、図２において実線で示される開口１１００を塞いでいる状態及び図２において一点破線で示される開口１１００を塞いでいない状態の間で回転できる。蓋１０２１が開口１１００を塞いでいる場合は、蓋１０２１の第１の側部１１２０が第１の側壁１０４１の上端部１１４０に沿って配置され、蓋１０２１の第２の側部１１２１が第２の側壁１０４２の上端部１１６０に沿って配置される。蓋１０２１が開口１１００を塞いでいない場合は、蓋１０２１の第１の側部１１２０が第１の側壁１０４１の上端部１１４０から離されるが、蓋１０２１の第２の側部１１２１は第２の側壁１０４２の上端部１１６０からほとんど離されない。第１の側壁１０４１の上端部１１４０及び第２の側壁１０４２の上端部１１６０は、開口１１００の両脇にあり、溝１０６０が延在する方向に延在する。
【００３３】
蓋１０２１は、薄肉ヒンジ１０２２を軸として回転する。薄肉ヒンジ１０２２は、第２の側壁１０４２の上端部１１６０に沿い、溝１０６０が延在する方向に延在する。
【００３４】
薄肉ヒンジ１０２２は、蓋１０２１の第２の側部１１２１を第２の側壁１０４２の上端部１１６０に結合する。蓋１０２１の第２の側部１１２１が第２の側壁１０４２の上端部１１６０から少し離れた位置に結合されてもよい。
【００３５】
薄肉ヒンジ１０２２の厚さは蓋１０２１の厚さ及び第２の側壁１０４２の厚さよりも薄く、薄肉ヒンジ１０２２の剛性は蓋１０２１及び剛性及び第２の側壁１０４２の剛性より低い。このため、薄肉ヒンジ１０２２は変形しやすい。変形しやすい薄肉ヒンジ１０２２により蓋１０２１の第２の側部１１２１が第２の側壁１０４２に結合される場合は、薄肉ヒンジ１０２２を軸として蓋１０２１が回転できる。
【００３６】
ワイヤーハーネス用プロテクター１０００が２個以上の部材の結合体である場合は、薄肉ヒンジ１０２２が他の種類のヒンジに置き換えられてもよい。例えば、薄肉ヒンジ１０２２が軸及び軸受を備えるヒンジに置き換えられてもよい。薄肉ヒンジ１０２２が省略されてもよい。薄肉ヒンジ１０２２が省略される場合は、望ましくは、第１の側壁１０４１及び第２の側壁１０４２の両方にメスロック１０２３が結合され、蓋１０２１の第１の側部１１２０及び第２の側部１１２１の両方にオスロック１０２４が結合される。
【００３７】
メスロック１０２３は、第１の側壁１０４１の外面１１８０に結合される。これにより、ワイヤーハーネス１０８０及びメスロック１０２３が干渉しない。ただし、メスロック１０２３が第１の側壁１０４１の内面１１８１に結合されてもよい。
【００３８】
メスロック１０２３は、引っ掛け部１２００、第１の突出部１２０１（図２には図示されていない）及び第２の突出部１２０２を備える。
【００３９】
引っ掛け部１２００は、第１の突出部１２０１及び第２の突出部１２０２を介して第１の側壁１０４１の外面１１８０に結合される。第１の突出部１２０１及び第２の突出部１２０２以外の構造物を介して引っ掛け部１２００が第１の側壁１０４１の外面１１８０に結合されてもよい。
【００４０】
第１の突出部１２０１及び第２の突出部１２０２は、第１の側壁１０４１の外面１１８０から突出する。第１の突出部１２０１及び第２の突出部１２０２は、溝１０６０が延在する方向に離される。引っ掛け部１２００は、第１の突出部１２０１から第２の突出部１２０２へ架け渡される。引っ掛け部１２００は、溝１０６０が延在する方向に延在する。これにより、オスロック１０２４がメスロック１０２３に挿される方向９０００及びオスロック１０２４がメスロック１０２３から抜かれる方向９００１に貫通する間隙１２２０が引っ掛け部１２００及び第１の側壁１０４１の外面１１８０の間に形成される。方向９０００は、開口１１００から底壁１０４０へ向かう方向である。方向９００１は、底壁１０４０から開口１１００へ向かう方向である。
【００４１】
図３の断面図は、メスロック１０２３の近傍を模式的に示す。
【００４２】
引っ掛け部１２００は、加わる応力に応じて弾性変形する。第１の側壁１０４１の外面１１８０と垂直をなし第１の側壁１０４１の外面１１８０から離れる方向９００２の応力が引っ掛け部１２００に加わった場合は、図３の一点破線に示されるように、方向９００２に引っ掛け部１２００がたわみ、間隙１２２０が定常距離Ｄより広がる。方向９００２に引っ掛け部１２００がたわんだ後に方向９００２の応力が引っ掛け部１２００に加わらなくなった場合は、図３の実線に示されるように、方向９００２への引っ掛け部１２００のたわみが解消し、間隙１２２０が定常距離Ｄに戻る。定常距離Ｄは、引っ掛け部１２００に応力が加わらない場合における方向９００２の間隙１２２０の寸法である。
【００４３】
図１及び図２に示されるように、オスロック１０２４は、蓋１０２１の第１の側部１１２０に結合される。オスロック１０２４は、根元部１２４０及び先端部１２４１を備える。先端部１２４１は、引っ掛かり部１２６０及びたわみ止め部１２６１を備える。根元部１２４０は、第１の側部１１２０に結合される。
【００４４】
図４の断面図は、メスロック１０２３及びオスロック１０２４の近傍を模式的に示す。
【００４５】
根元部１２４０の厚さＴ１の最大値（最大厚さ）は定常距離Ｄより薄く、先端部１２４１の厚さＴ２の最大値（最大厚さ）は定常距離Ｄより厚い。このため、根元部１２４０は間隙１２２０を通過でき、先端部１２４１は間隙１２２０が定常距離Ｄより広げられない限り間隙１２２０を通過できない。
【００４６】
たわみ止め部１２６１は、引っ掛かり部１２６０の根本側の当たり面１２８０から方向９００１へ突出する。引っ掛かり部１２６０の根本側における厚さＴ２は、定常距離Ｄ及び引っ掛け部１２００の厚さＴ３の和よりも厚い。引っ掛かり部１２６０は、当たり面１２８０の先端から突出する。引っ掛かり部１２６０が引っ掛け部１２００に引っ掛かっている場合には、たわみ止め部１２６１及び根元部１２４０の間に引っ掛け部１２００が配置される。
【００４７】
図２に示されるように、蓋１０２１が開口１１００を塞いでいない場合は、オスロック１０２４がメスロック１０２３から抜かれている。
【００４８】
蓋１０２１が開口１１００を塞いでいない状態においてオスロック１０２４をメスロック１０２３に挿す力が加えられた場合は、間隙１２２０が広がる方向に引っ掛け部１２００をたわませながら先端部１２４１が間隙１２２０に進入する。先端部１２４１は、最終的に間隙１２２０を通過する。オスロック１０２４がメスロック１０２３に挿され、蓋１０２１が開口１１００を塞いでいる状態になる。
【００４９】
蓋１０２１が開口１１００を塞いでいる場合は、オスロック１０２４がメスロック１０２３に挿されており、根元部１２４０が間隙１２２０に配置され、先端部１２４１が間隙１２２０より底壁１０４０寄りに配置される。先端部１２４１の最大厚さは定常距離Ｄより厚いので、蓋１０２１が開口１１００を塞いでいる場合は、引っ掛け部１２００がたわんで間隙１２２０が定常距離Ｄより広がらない限り、先端部１２４１が間隙１２２０を通過せず、オスロック１０２４がメスロック１０２３から抜けない。蓋１０２１が開口１１００を塞いでいる状態においては、ワイヤーハーネス１０８０が溝１０６０から逸脱しにくい。
【００５０】
図５の断面図は、メスロック１０２３及びオスロック１０２４の近傍を模式的に示す。
【００５１】
蓋１０２１が開口１１００を塞いでいる状態においてオスロック１０２４をメスロック１０２３から抜く力が加えられた場合は、図５に示されるように、引っ掛かり部１２６０が引っ掛け部１２００に引っ掛かる。たわみ止め部１２６１は、引っ掛け部１２００に当たり、間隙１２２０が広がる方向９００２に引っ掛け部１２００がたわむことを規制する。間隙１２２０が広がらない場合は、上記のように、先端部１２４１が間隙１２２０を通過せず、オスロック１０２４がメスロック１０２３から抜けない。これにより、蓋１０２１が開口１１００を塞いでいる状態を保持する能力が向上する。
【００５２】
これに対して、特開２０１１−３６００５号公報の引っ掛かり部（鉤片）は、引っ掛け部（横梁）に引っ掛かった場合に変形し、間隙（門内）が広がる方向に引っ掛け部がたわむことを規制できない。
【００５３】
図４に示されるように、引っ掛かり部１２６０の厚さＴ２は、先端側において定常距離Ｄより薄く、根本側において定常距離Ｄより厚く、先端側から根本側へ向かって連続的に厚くなる。これにより、オスロック１０２４をメスロック１０２３に挿す力が加えられた場合に、先端部１２４１が間隙１２２０を通過しやすい。一方、オスロック１０２４をメスロック１０２３から抜く力が加えられた場合に、先端部１２４１が間隙１２２０を通過しにくい。また、引っ掛かり部１２６０の剛性は高く、たわみ止め部１２６１及び根元部１２４０の間に引っ掛け部１２００が配置される状態は解消されにくい。蓋１０２１が開口１１００を塞いでいる状態を保持する能力が向上する。
【００５４】
これに対して、特開２０１１−３６００５号公報の引っ掛かり部（鉤片）は、剛性が低いため、変形しやすく、間隙（門内）が広がる方向に引っ掛け部がたわむことを規制できない。
【００５５】
引っ掛かり部１２６０の根本側の当たり面１２８０は、オスロック１０２４をメスロック１０２３から抜く方向９００１と垂直をなし、引っ掛け部１２００に引っ掛かっている場合に引っ掛け部１２００に当たる。これにより、引っ掛かり部１２６０が引っ掛け部１２００に引っ掛かっている場合に間隙１２２０が広がる方向９００２に引っ掛け部１２００をたわませる力が引っ掛け部１２００にかかりにくい。蓋１０２１が開口１１００を塞いでいる状態を保持する能力が向上する。
【００５６】
ワイヤーハーネス用プロテクター１０００が装着されたワイヤーハーネス１０８０は、典型的には、自動車に取り付けられる。ワイヤーハーネス１０８０は、自動車に搭載された２個以上の機器を電気的に接続する。ワイヤーハーネス用プロテクター１０００が装着されたワイヤーハーネス１０８０が自動車以外の装置に取り付けられてもよい。例えば、ワイヤーハーネス用プロテクター１０００が装着されたワイヤーハーネス１０８０が、自動二輪車等の車両、複写機等に取り付けられてもよい。
【００５７】
ワイヤーハーネス１０８０は、典型的には、分岐を有し、３個以上の機器を電気的に接続する。ワイヤーハーネス１０８０が分岐を有さず２個の機器を電気的に接続する場合もある。
【００５８】
本発明は詳細に示され記述されたが、上記の記述は全ての局面において例示であって限定的ではない。したがって、本発明の範囲からはずれることなく無数の修正及び変形が案出されうると解される。
【符号の説明】
【００５９】
１０００  ワイヤーハーネス用プロテクター
１０２０  ワイヤーハーネス収容体
１０２１  蓋
１０２２  薄肉ヒンジ
１０２３  メスロック
１０２４  オスロック
１０８０  ワイヤーハーネス
１２００  引っ掛け部
１２４０  根元部
１２４１  先端部
１２６０  引っ掛かり部
１２６１  たわみ止め部
【図１】
2014183690.tif 000003
【図２】
2014183690.tif 000004
【図３】
2014183690.tif 000005
【図４】
2014183690.tif 000006
【図５】
2014183690.tif 000007